(57)【要約】      （修正有）【課題】一回の切断操作で線状体を所定長、例えばＬに相当する長さ分正確に切断、除去できる線状体切断用工具を提供する。【解決手段】一端部に切断刃を有する切断頭部１ａ、２ａを、他端部に把持部を有する一対の工具本体が軸により回動自在に軸支され、前記各切断頭部に設けられた相対向する切断刃により線状体２０を切断する線状体切断用工具において、前記切断頭部には前記軸の軸方向に所定間隔隔てて２枚の切断刃１ｃ、２ｃが設けられていて、一回の切断操作で前記線状体２０を所定長切断できることを特徴とするものである。【選択図】  図２
2004321510.tif 000002
【特許請求の範囲】
【請求項１】
一端部に切断刃を有する切断頭部を、他端部に把持部を有する一対の工具本体が軸により回動自在に軸支され、前記各切断頭部に設けられた相対向する切断刃により線状体を切断する線状体切断用工具において、前記切断頭部には前記軸の軸方向に所定間隔隔てて２枚の切断刃が設けられていて、一回の切断操作で前記線状体を所定長切断できることを特徴とする線状体切断用工具。
【請求項２】
前記各切断頭部の前記２枚の切断刃の内側には相対向する凹部が各々設けられていて、線状体切断時前記相対向する凹部同士が向き合って、切断された所定長の線状体屑をその内部に収納する収納空間を形成することを特徴とする請求項１記載の線状体切断用工具。
【発明の詳細な説明】
【０００１】
【発明の属する技術分野】
本発明は、例えばニッパのような線状体切断用の工具の改良に関するものである。
【０００２】
【従来の技術】
従来から、例えば線状体、具体的には金属線，特にアルミニウム線や銅線のごとき導体や、これらにプラスチック等からなる絶縁被覆を施した絶縁電線のごとき線状体を切断する場合、市販のニッパのごとき線状体切断用工具が度々使用されている。
【０００３】
この線状体切断用工具は、一端部に切断刃を有する切断頭部を、他端部に把持部を有する一対の工具本体が軸により回動自在に軸支され、前記各切断頭部に設けられた相対向する切断刃の刃先により線状体を切断するようになっている。
この一般的な例として前述したように市販のニッパ等があり、これは前記一対の工具本体の把持部を握ることにより、切断頭部に各々設けられた相対向する１枚の切断刃１０同士を、例えば図４のごとく、その刃先の先端を各々線状体２０に食い込ませるようにして該線状体２０を切断している。
【０００４】
またこの種の線状体切断用のニッパにおいては、切断した線状体屑を刃の内側に設けた収集袋に収納するものも既に提案されている（特許文献１）。
【０００５】
特許文献１：実願昭和６２−２５１８号の願書に添付された明細書及び図面の内容を撮影したマイクロフィルム（実開昭６３−１１１８７４号）
【０００６】
【発明が解決しようとする課題】
図５は、市販のニッパにより図４のようにして線状体２０を切断した後の状態を示している。
図５が示すように、図４に示す従来の１枚の切断刃１０により線状体２０を切断した場合、切断された各々の切断端面３０、３０は極めて接近した状態になっている。
それ故、いま線状体２０が活線状態にある絶縁電線だと仮定し、ニッパ等でこれを切断することで直ちに死線状態にしたい場合、あるいは予め多数本の絶縁電線を布線しておき、しかる後設計上不要となった絶縁電線を切断し、死線状態にしたいような場合、図４のように１枚の切断刃１０同士で線状体２０を切断しただけでは、切断後振動等のショックで、両切断端面３０同士が電気的に接触し、ショートする危険性がある。
【０００７】
そこで切断端面３０，３０同士が電気的に接触し難いように図６が示ごとく、もう一度いずれかの絶縁電線、すなわち線状体２０の端部を切り込んで、例えば両切断端面３０，３０間距離がＬになるようにしている。
【０００８】
しかしながらこの方法だと、１本の線状体２０を少なくとも２回切断する必要があり、作業性が悪い。また仮に２回切断したとしても、切断位置が最初の切断位置に近過ぎていた場合には、換言すると充分な間隔Ｌを確保できなかった場合には、もう一度、すなわち都合３回も線状体２０を切断しなければならない場合もあり、作業性が極めて悪い、という問題がある。
また活線が並行に複数本並んでいるような場合、これらを上述の複数回の切断作業で切断すると、各線状体（絶縁電線）の切断間隔Ｌがまちまちになる可能性が高く、外観上見苦しい、という問題もある。
【０００９】
さらにまたこのように線状体２０を２回以上切断した場合、必ず線状体屑が発生し、切断場所近傍にこれらが落下して散らかり、最悪の場合、この線状体屑が切断された複数本の線状体（絶縁電線）２０の切断端面３０に跨って接触し、ショートさせる危険性もあった。
【００１０】
ところで前述の特許文献１に記載のように、線状体切断用のニッパにおいては、切断した線状体屑を刃の内側に設けた収集袋に収納するものが既に提案されているが、このようなニッパの場合、ニッパ（線状体切断用工具）に余計なものを装着することになり、その結果形状を複雑にし、かつコストアップに繋がり、しかも取扱性も悪くする、という問題があった。
【００１１】
そこで本発明の目的は、一回の切断操作で線状体を所定長、例えばＬに相当する長さ分正確に切断できる線状体切断用工具を提供することにある。
さらに加えて本発明の目的は、既提案のもののごとく、収集袋のような特別なものを装着することなく、工具の構造に簡易な工夫を施すだけで、切断された線状体屑を工具内に収納できる線状体切断用工具を提供することにある。
【００１２】
【課題を解決するための手段】
前記目的を達成すべく請求項１記載の本発明は、一端部に切断刃を有する切断頭部を、他端部に把持部を有する一対の工具本体が軸により回動自在に軸支され、前記各切断頭部に設けられた相対向する切断刃により線状体を切断する線状体切断用工具において、前記切断頭部には前記軸の軸方向に所定間隔隔てて２枚の切断刃が設けられていて、一回の切断操作で前記線状体を所定長切断できるようになっていることを特徴とするものである。
【００１３】
このようにしてなる請求項１記載の発明の線状体切断用工具によれば、工具本体の切断頭部には前記軸の軸方向に所定間隔隔てて２枚の切断刃が設けられているので、一回の切断操作で前記線状体を所定長切断することができる。
それ故、活線状態にある、例えば絶縁電線を死線化する場合、あるいは既に布線されている複数本の絶縁電線のうち不要な絶縁電線を死線化する場合、１回の切断操作で、両切断端面が電気的に接触し難い長さ、例えば長さＬ分を正確に切断し、これを取り除くことができる。
また切断長さＬは、工具本体の切断頭部に設けられた２枚の切断刃の間隔で一義的に決定されているので、切断長さが揃っており、外観上もきれいである。
【００１４】
また請求項２記載の本発明の線状体用切断工具は、前記請求項１記載の線状体用切断工具において、工具本体の各切断頭部には、前記２枚の切断刃の内側に相対向する凹部が各々設けられていて、線状体切断時前記相対向する凹部同士が向き合って、切断された所定長の線状体屑をその内部に収納する収納空間を形成することを特徴とするものである。
【００１５】
このようにしてなる請求項２記載の本発明の線状体切断用工具によれば、各切断頭部には相対向する凹部が各々設けられていて、これらが線状体切断時に互いに向き合って、切断された所定長の線状体屑をその内部に収納する収納空間を形成する。それ故、切断頭部に単に凹部を設けただけの簡単な構造で、切断された線状体屑を収納できる収納空間を形成でき、もって従来の収集袋を装着したものに比して形状も単純で、それ故安価で、しかも取扱性もよい線状体切断用工具を提供することができる。
【００１６】
【発明の実施の形態】
図１〜図３は本発明の線状体切断用工具の一実施例を示すものである。以下にこれらの図面を用いて本発明の線状体切断用工具の構造を詳述する。
図１（ａ）は本発明の線状体切断用工具の平面図、図１（ｂ）はその側面図である。また図２は図１（ｂ）におけるＸ−Ｘ線断面図であり、図３は図１（ａ）の切断頭部１ａ、２ａの一部拡大図である。
【００１７】
図１（ａ）、図１（ｂ）及び図２が示すように、本発明の線状体切断用工具は、一端部に切断刃を有する切断頭部１ａ、２ａを、他端部に把持部１ｂ、２ｂを有する一対の工具本体１及び２が、前記切断頭部１ａ、２ａに近い位置に設けられている軸３により回動自在に軸支されている。
そして前記各切断頭部１ａ、２ａには前記軸３の軸方向に所定間隔隔てて、それぞれ２枚の切断刃１ｃ、１ｃ及び２ｃ、２ｃが設けられている。それ故、図２が示すように、線状体２０を切断頭部１ａ、２ａに設けられた切断刃１ｃ、１ｃ及び２ｃ、２ｃで挟持し、前述した把持部１ｂ及び２ｂを手で握る、いわゆる一連の切断操作を一回行えば、線状体２０を切断刃１ｃ、１ｃ（切断刃２ｃ、２ｃ）の間隔で２箇所同時に切断することができる。
【００１８】
尚、本発明の線状体切断用工具は図２及び図３が示すように、各切断頭部１ａ、２ａには、相対向するように凹部１ｅ，２ｅが各々設けられていて、線状体２０を切断すべく切断刃１ｃ、１ｃ及び２ｃ、２ｃの各先端が図２に示すように互いに接触あるいは接触に近い状態になって線状体２０を切断すると、切断された線状体屑は凹部１ｅ，２ｅ同士が向き合って形成した収納空間５０内に収納される。
【００１９】
尚、前記凹部１ｅ，２ｅは、図２及び図３が示すように、切断刃１ｃ、１ｃ及び２ｃ、２ｃと切断頭部１ａ、２ａの先端に各々設けられた爪状体１ｄ、２ｄ及び後部の壁１ｆ、２ｆにより形成されている。それ故、把持部１ｂ、２ｂを握って切断頭部１ａ、２ａを閉じると、各凹部１ｅ，２ｅはほぼ閉空間に近い空間を構成するので、この収納空間５０に収納した線条体屑は切断場所で飛び散ることがない。
そして切断操作完了後、線状体屑を回収する、例えば回収箱上で握っていた把持部１ｂ、２ｂを開けば、線状体屑を回収箱内に簡単に収集することができる。
因みに、図３における爪状体１ｄ、２ｄは収納空間形成上不可欠のものではなく、通常の場合は、切断刃１ｃ、１ｃ及び２ｃ、２ｃで線状体屑を把持することができる。但し、爪状体１ｄ、２ｄを設けておけば、より確実に線状体屑を捕捉できるので好ましい。
【００２０】
【発明の効果】
このように本発明の線状体切断用工具によれば、工具本体１、２の各切断頭部１ａ、２ａには、軸３の軸方向に所定間隔隔てて２枚の切断刃１ｃ、１ｃ及び２ｃ、２ｃが各々設けられているので、一回の切断操作で線状体を所定長切断し、これを取り除くことができる。
それ故、例えば活線状態にある絶縁電線を死線化したり、あるいは布線されている複数本の絶縁電線のうち回路設計上不要な絶縁電線を死線化するような場合、１回の切断操作で、両切断端面が電気的に接触し難い所定長さ、例えば長さＬ分を正確に切断し除去できるので、切断後の絶縁電線が振動等で接触し、ショートを起こすような恐れなく、確実に死線化できる。
また切断長さＬは、工具本体の切断頭部に設けられた２枚の切断刃の間隔で一義的に決定されているので、切断後の各絶縁電線の切断長さが揃っており、外観上もきれいである。
【００２１】
また各切断頭部１ａ、２ａに相対向して設けられている凹部１ｅ，２ｅにより、これらが線状体切断時に互いに向き合って、切断された所定長の線状体屑をその内部に収納する収納空間５０を形成するため、切断頭部１ａ、２ａに単に凹部１ｅ，２ｅを設けただけの簡単な構造で、切断された線状体屑をこの中に収納できる。
もって従来の収集袋を装着したものに比して形状もシンプルで、安価で、しかも取扱性もよい線状体切断用工具を得ることができる。
【図面の簡単な説明】
【図１】本発明の線状体切断用工具の一実施例を示すもので、（ａ）はその平面図、（ｂ）はその側面図である。
【図２】図１（ｂ）のＸ−Ｘ線における拡大断面図である。
【図３】図１（ａ）の切断頭部の一部平面拡大図である。
【図４】従来の線状体切断用工具で線状体を切断する場合を示す図である。
【図５】従来の線状体切断用工具で線状体を切断後の状態を示す図である。
【図６】従来の線状体切断用工具で線状体を所定長さＬ切断する場合を示す図である。
【符号の説明】
１、２  工具本体
１ａ、２ａ  切断頭部
１ｂ、２ｂ  把持部
１ｃ、２ｃ  切断刃
１ｅ，２ｅ  凹部
３  軸
３０  切断端面
５０  収納空間
【図１】
2004321510.tif 000003
【図２】
2004321510.tif 000004
【図３】
2004321510.tif 000005
【図４】
2004321510.tif 000006
【図５】
2004321510.tif 000007
【図６】
2004321510.tif 000008